(57)【特許請求の範囲】
【請求項１】
浴槽の側壁に嵌合する取付枠と、該取付枠の洗い場側の垂直片に取付ける手摺りと、前記取付枠の浴槽側の垂直片に設けられて該取付枠を前記浴槽の側壁に固定する締付手段及び垂直な把持部を有し前記垂直片に取付ける取手とを有し、
前記手摺りの浴槽への取付位置により前記取手を入浴者が掴み易いように前記垂直片の一方の側若しくは他方の側又は両側に取付け得るようにしたことを特徴とする取手を備えた浴槽用手摺り装置。
【請求項２】
前記取手を端部にねじ穴を有するほぼコ字状に形成すると共に、前記取付枠の浴槽側の垂直片の両側の上下にそれぞれねじ挿通穴を設け、前記手摺りの位置により前記取手を垂直片の一方の側若しくは他方の側又は両側にねじにより垂直に取付けるようにしたことを特徴とする請求項１記載の取手を備えた浴槽用手摺り装置。
【発明の詳細な説明】
【０００１】
【発明の属する技術分野】
本発明は、浴槽の側壁に着脱自在に装着される取手を備えた浴槽用手摺り装置に関するものである。
【０００２】
【従来の技術】
この種浴槽用手摺りとして、例えば、意匠登録第１００６７５２号公報に記載されたものがある。この浴槽用手摺りは、浴槽の縁に把手を固着させたチャンネル部を嵌め込み、締付ボルトの締付けにより固定して使用するようにしたものである（従来技術１）。
また、実用新案登録第２５４７４８７号公報には、下向きコ字状の跨設部の上に垂直把持部を立設すると共に、浴槽側の足板の外面下部に水平把持部を取付けた浴槽の側壁板用手摺りが記載されている（従来技術２）。
【０００３】
【発明が解決しようとする課題】
従来技術１の浴槽用手摺りにおいては、コ字状のチャンネル部の幅が一定のため、側壁の厚みが薄い場合はチャンネル部自体が浴槽内に大きく突出し、一方、厚みが厚い場合はチャンネル部及び締付ボルトが浴槽内に大きく突出するため、入浴者の邪魔になる。
また、従来技術２はコ字状の把持部が跨設部の浴槽側の足板の下部に水平に取付けられているため、手摺りの取付位置によっては浴槽内の入浴者が掴みにくいという問題があった。
【０００４】
本発明は、上記の課題を解決するためになされたもので、入浴者が掴み易い取手を備えた浴槽用手摺り装置を提供することを目的としたものである。
【０００５】
【課題を解決するための手段】
本発明に係る取手を備えた浴槽用手摺り装置は、浴槽の側壁に嵌合する取付枠と、該取付枠の洗い場側の垂直片に取付ける手摺りと、前記取付枠の浴槽側の垂直片に設けられて該取付枠を前記浴槽の側壁に固定する締付手段及び垂直な把持部を有し前記垂直片に取付ける取手とを有し、前記手摺りの浴槽への取付位置により前記取手を入浴者が掴み易いように前記垂直片の一方の側若しくは他方の側又は両側に取付け得るようにしたものである。
【０００６】
また、上記の取手を端部にねじ穴を有するほぼコ字状に形成すると共に、前記取付枠の浴槽側の垂直片の両側の上下にそれぞれねじ挿通穴を設け、前記手摺りの位置により前記取手を垂直片の一方の側若しくは他方の側又は両側にねじにより垂直に取付けるようにしたものである。
【００１０】
【発明の実施の形態】
［実施の形態１］
図１は本発明の実施の形態１の側面図、図２はその平面図、図３は正面図、図４は分解斜視図である。
図１〜図４において、１は本実施の形態に係る浴槽用手摺りの取付構造である。２は例えばステンレスの如き金属板を曲げ加工して形成した水平片２１と垂直片２２とからなるＬ字状の第１の取付部材、３は同じく水平片３１と垂直片３２からなる第１の取付部材２より幅広でＬ字状の第２の取付部材である。
【００１１】
第１の取付部材２において、２３は水平片２１の両側にそれぞれ設けた複数のねじ挿通穴、２４は垂直片２２のほぼ中央部に設けたねじ穴で、図にはナットを取付けた場合が示してある。２５はねじ穴２４の上下に設けた一対のねじ挿通穴である。なお、図には垂直片２２をほぼ逆台形状に形成した場合を示したが、水平片２１と同様に長方形に形成してもよい。
【００１２】
また、第２の取付部材３において、３３は水平片３１の先端部の両側に、第１の取付部材２の水平片２１に設けたねじ穴２３の横方向の間隔に対応して設けたねじ穴、３４は垂直片３２の両側に設けた複数のねじ挿通穴である（なお、垂直片３２の他方の側のねじ挿通穴３４は図示してない）。３５，３６はゴムの如き弾性材からなるパットで、例えば、両面テープにより水平片３１の下面及び垂直片３２の内面にそれぞれ貼付けて接合される。なお、水平片３１をほぼ凹字状に形成した場合を示したが、垂直片３２と同様に長方形に形成してもよい。
【００１３】
４２はステンレスの如き金属板からなるプレートで、ほぼ中央部にはねじ挿通穴４３が貫設されている。４４はおねじで、プレート４２の背面からねじ挿通穴４３に挿通し、後述の締付ねじのねじ穴に螺入して一体化する。４５はゴムの如き導性材からなるパットで、例えば両面テープによりおねじ４４が挿通されたプレート４２の背面に一体的に接合してプレート４２と共に締付板４１を構成する。なお、おねじ４４は溶接等によりプレート４２に直接取付けてもよい。
【００１４】
４６は第１の取付板２に設けたねじ穴２４に螺入される締付ねじで、一端にはつまみ４７が設けられており、他端には締付板４１のおねじ４４が螺入するねじ穴（図示せず）が設けられている。なお、これら締付板４１、締付ねじ４６により締付手段４を構成する。
【００１５】
５は例えばステンレスの如き金属パイプからなる門型状の手摺りで、垂直な一対の脚部５１と、その上端部を斜め上方に折曲げて連続するほぼコ字状の把持部５２とからなり、両脚部５１の下部には、第２の取付部材３のねじ挿通穴３４に対応してねじ穴５３が設けられている。５４は手摺り５の脚部５１の下端開口部を閉塞するキャップである。
【００１６】
６は合成樹脂からなるほぼコ字状の取手で、垂直な把持部６１と、その両端部から直交してほぼ水平に延出された取付腕６２とからなり、取付腕６２の自由端はそれぞれ同方向に斜めに折り曲げられて取付部６３が形成され、この取付部６３には第１の取付部材２のねじ挿通穴２５に対応してねじ穴（図示せず）が設けられている。
【００１７】
次に、上記のような各部からなる本実施の形態の組立手順の一例について説明する。
（１）先ず、締付ねじ４６を第１の取付部材２に設けたねじ穴２４に螺入して背面に突出させる。ついで、プレート４２のねじ挿通穴４３に背面からおねじ４４を挿通して、このおねじ４４を締付ねじ４６の先端部に設けたねじ穴に螺入し、両者を一体に結合する。
【００１８】
（２）そして、プレート４２の背面に両面テープによりパット４５を貼りつければ、締付手段４が構成される。なお、プレート４２にパット４５を貼付けたのち、パット４５の背面からおねじ４４を差込んでプレート４２のねじ挿通穴４３に挿通し、締付ねじ４６のねじ穴に螺入してもよい。
【００１９】
（３）第１の取付部材２の垂直片２２に設けたねじ挿通穴２５に、把持部６１を垂直にして取手６の取付部６３を当接し、背面からねじ挿通穴２５に挿通したねじ７１を取付部６３に設けたねじ穴に螺入して取手６を第１の取付部材２に取付ける。
この場合、浴槽への手摺り５の取付位置により、図５に示すように、取手６の把持部６１が右側になるように取付けてもよく、あるいは図６に示すように把持部６１が左側になるように取付けてもよい。
【００２０】
（４）次に、下端開口部にキャップ５４が装着された手摺り５の脚部５１に第２の取付部材３の垂直片３２を当接し、そのねじ挿通穴３４に挿通したねじ７１を脚部５１のねじ穴５３に螺入し、両者を一体に結合する。
そして、第２の取付部材３の水平片３１の下面及び垂直片３２の内面に、両面テープによりパッド３５，３６を貼りつければ、第２の取付部材３と手摺り５との組立が完了する。
【００２１】
次に、上記のよう構成した本実施の形態の作用について、図７により説明する。なお、図７（ａ）、（ｂ）、（ｃ）において、各図の左側は浴槽、右側は洗い場を示し、７は浴槽の側壁を示す。
先ず、図７（ａ）に示すように、側壁７の厚みＷ1 が薄い場合は、第１、第２の取付部材２，３の水平片２１，３１を、水平片２１を上にして重ね合わせ、水平片２１の最後部（垂直片２２側）のねじ挿通穴２３から挿通したねじ７１を、水平片３１のねじ穴３３に螺入し両者を一体に結合し、第１、第２の取付枠２，３の垂直片２１，３１間（パット３６を含む）の間隔がＧ1 の取付枠２０を構成する。
【００２２】
ついで、つまみ４７を回転させて締付板４１を若干後退させておき、第２の取付部材３と締付板４１とで形成する空間部を、上方から側壁７に嵌合し、パット３５が貼られた第２の取付部材３の水平片３１を側壁の頂部に当接させる。
そして、つまみ４７を回転して締付けねじ４６を前進させ、締付板４１を側壁７に圧着させれば、第２の取付部材３の垂直片３２と締付手段４の締付板４１とはパット３６，４５を介して側壁７を挟持して固定されるので、手摺り５及び取手６を確実に側壁７に取り付けることができる。
【００２３】
次に、側壁７の厚みＷ2 がやや厚い場合は、図７（ｂ）に示すように、第１の取付部材２の水平片２１に設けたねじ挿通穴２３のうち、中央部のねじ挿通穴２３にねじ７１を挿通して第２の取付部材３の水平片３１に設けたねじ穴３３に螺入し、図７（ａ）の取付枠２０の両垂直片２２，３２間の間隔Ｇ1 より広い間隔Ｇ2 の取付枠２０を構成する。
以下、図７（ａ）の場合と同様の手順により手摺り５及び取手６を浴槽の側壁７に取付ける。
【００２４】
さらに、側壁７の厚みＷ3 が厚い場合は、図７（ｃ）に示すように、第１の取付部材２の水平片２１に設けたねじ挿通穴２３のうち、先端部側のねじ挿通穴２３にねじ７１を挿通して第２の取付部材３の水平片３１に設けたねじ穴３３に螺入し、図７（ｂ）の取付枠２０の両垂直片２１，３１間の間隔Ｇ2 より広い間隔Ｇ3 の取付枠２０を構成する。
以下、図７（ａ）の場合と同様の手順により手摺り５及び取手６を浴槽の側壁に取付ける。
【００２５】
上記の説明では、第１の取付部材２の水平片２１の両側にそれぞれ３個のねじ挿通穴を設け、第２の取付部材３の水平片３１にねじ穴３３を設けた場合を示したが、第１の取付部材２にねじ穴を、第２の取付部材３にねじ挿通穴を設けてもよく、ねじ挿通穴２３の数もそれぞれ２個以上であればよい。
また、手摺りを門型に形成した場合を示したが、他の構造のものでもよく、また、取付枠２０には手摺り５又は取手６の何れか一方のみ取付てもよい。
【００２６】
上記のように構成した本実施の形態においては、手摺り５及び取手６が取付けられる取付枠２０を第１、第２の取付部材２，３で構成し、浴槽の側壁７の厚みに対応してその垂直片２２，３２間の間隔を適宜調整し、この取付枠２０を側壁７に嵌合して締付手段４により固定するようにしたので、厚みの異なる各種の側壁に、手摺りを確実に取付けることができる。そして、側壁が薄い場合でも取付枠２０が側壁７から大きく突出することがなく、また、側壁７が厚い場合においても締付ねじ４６のつまみ４７が浴槽内に大きく突出することがないので、入浴者の邪魔になることはない。
さらに、第２の取付部材３の水平片３１の下面、垂直片３２の内面及び締付板４１にそれぞれ弾性材からなるパット３５，３６，４５を設けたので、固定ねじ４６を強く締めても側壁７が傷付くおそれがない。
【００２７】
［実施の形態２］
図８は本発明の実施の形態２の要部の斜視図である。実施の形態１では、取付部６３が傾斜したほぼコ字状の取手６を第１の取付部材２のねじ穴２４の上下に、把持部６１が左右何れかに位置するように取付ける場合を示したが、本実施の形態においては、第１の取付部材２の垂直片２２を長方形に形成して、その両側の上下にそれぞれねじ挿通穴２５ａを設けると共に、取手６ａを垂直な把持部６１ａとその両端部に水平に設けた取付腕６２ａとによりほぼコ字状に形成し、その取付腕６２ａの先端部にねじ穴（図示せず）を設けたものである。
【００２８】
本実施の形態においては、第１の取付部材２の垂直片２２の背面から一方の側のねじ挿通穴２５ａに挿通したねじ７１を、取手６ａのねじ穴に螺入することにより、取手６ａを第１の取付部材２にほぼ垂直に取付けたものである。この場合、手摺り５の浴槽への取付位置に応じて取手６ａを垂直片２２の他方の側に垂直に取付けてもよく、あるいは、垂直片２２の両側にそれぞれ取手６ａを垂直に取付けてもよい。
【００２９】
本実施の形態によれば、手摺り５の取付位置に応じて取手６ａの取付位置を選択することができ、かつ、把持部６１ａを垂直に取付けたので、入浴者が掴み易く、便利である。なお、本実施の形態においても実施の形態１で示した取手６を用いてもよい。
本実施の形態の実施は、実施の形態１の浴槽用手摺りの取付構造に限定するものではなく、他の構造のものにも実施することができる。また、手摺りを有する取付枠に取手を取付けてもよく、あるいは、取付枠に取手のみを取付けてもよい。
【００３０】
【発明の効果】
本発明は、浴槽の側壁に嵌合する取付枠と、該取付枠の洗い場側の垂直片に取付ける手摺りと、前記取付枠の浴槽側の垂直片に設けられて該取付枠を前記浴槽の側壁に固定する締付手段及び垂直な把持部を有し前記垂直片に取付ける取手とを有し、前記手摺りの浴槽への取付位置により前記取手を入浴者が掴み易いように前記垂直片の一方の側若しくは他方の側又は両側に取付け得るようにしたので、入浴者が掴み易く、便利な取手を備えた浴槽用手摺り装置を得ることができる。
【００３１】
また、本発明は、上記の取手を端部にねじ穴を有するほぼコ字状に形成すると共に、前記取付枠の浴槽側の垂直片の両側の上下にそれぞれねじ挿通穴を設け、前記手摺りの位置により前記取手を垂直片の一方の側若しくは他方の側又は両側にねじにより垂直に取付けるようにしたので、手摺りの取付け位置により取手を取付けることができ、使い勝手のよい取手を備えた浴槽用手摺り装置を得ることができる。
【図面の簡単な説明】
【図１】  本発明の実施の形態１の側面図である。
【図２】  図１の平面図である。
【図３】  図１の正面図である。
【図４】  図１の分解斜視図である。
【図５】  取手の取付状態を示す説明図である。
【図６】  取手の取付状態を示す説明図である。
【図７】  実施の形態１の作用説明図である。
【図８】  本発明の実施の形態２の要部の斜視図である。
【符号の説明】
２  第１の取付部材、２１，３１  水平片、２２，３２  垂直片、２３，２５，３４，４３  ねじ挿通穴、２４，３３，５３  ねじ穴、３  第２の取付部材、４  締付手段、４１  締付板、４４  おねじ、４６  締付ねじ、４７  つまみ、５  手摺り、５２，６１  把持部、６，６ａ  取手。
【図１】
0003752625.tif 000002
【図２】
0003752625.tif 000003
【図３】
0003752625.tif 000004
【図４】
0003752625.tif 000005
【図５】
0003752625.tif 000006
【図６】
0003752625.tif 000007
【図７】
0003752625.tif 000008
【図８】
0003752625.tif 000009